(57)【要約】      （修正有）【課題】スーパーマーケットやコンビニエンスストア、ホームセンター等で陳列商品の整理時に商品陳列用のフックに掛った商品を手前に出す為の、陳列商品整理時の商品前出し用フックを提供する。【解決手段】商品前出し用フック本体１の手持ち部２を手に持ち、陳列商品引っ掛け部３を陳列商品の隙間に入れ、そのまま商品前出し用フックを奥まで入れ、商品前出し用フックの先端が陳列商品の先まで達したら、手持ち部で商品前出し用フック本体の角度を変え（例えば左に４５度傾ける）陳列商品の引っ掛け部を陳列商品の後ろに引っ掛け、その後商品前出し用フック本体を手前に引き出せば陳列商品が手前に引き出される。【選択図】図１
0003228187.tif 000002
【実用新案登録請求の範囲】
【請求項１】
スーパーマーケットやコンビニエンスストア、ホームセンター等で商品陳列用のフックに掛っている商品を、手の代わりに簡単に陳列商品の隙間に入れ、そのまま奥まで入れ、そして陳列商品を引っ掛け簡単に手前に引き出す事が特徴の陳列商品整理時の商品前出し用のフック
【請求項２】
材質は、金属等で製造できる事を特徴とした、請求項１に記載の陳列商品整理時の商品前出し用のフック
【請求項３】
本考案は、厚さは３ミリ程、横幅は７センチ程、全長は３５センチ程の大きさが特徴の請求項１から請求項２に記載の陳列商品整理時の商品前出し用のフック
【請求項４】
本考案は本体の手持ち部がＵ字型の形状に成っているので、持ち運ぶ時や携帯時はポケットやベルト等に掛ける事が出来、保管時も壁等に付いているフック等に掛けれる事が特徴の請求項１から請求項３に記載の陳列商品整理時の商品前出し用フック
【考案の詳細な説明】
【技術分野】
【０００１】  本考案は、スーパーマーケットやコンビニエンスストア、ホームセンター等で陳列商品の整理時に商品陳列用のフックに掛った商品を手前に出す為の、陳列商品整理時の商品前出し用フックに関するものである。
【背景技術】
【０００２】  スーパーマーケットやコンビニエンスストア、ホームセンター等では陳列商品の整理時に商品陳列用のフックに掛った商品を、見た眼を良くする為とお客様に手に取って頂き易くする為に、その商品を自らの手で奥から手前に引き出している。
【先行技術文献】
【特許文献】
【０００３】
【特許文献１】特開２００２−２５３４０３号  公報
【考案の概要】
【考案が解決しようとする課題】
【０００４】  スーパーマーケットやコンビニエンスストア、ホームセンター等では陳列商品の整理時に商品陳列用のフックに掛った商品を、見た眼を良くする為とお客様に手に取って頂き易くする為に、その商品を自らの手で奥から手前に引き出しているが、その際商品の陳列間隔が狭かったり棚のスペースが狭いと、手が奥まで入りにくかったり、手を奥に入れた時に陳列商品の隣の商品が手に当り商品陳列用のフックから外れ落ちたり、せっかく手前に出した商品がまた奥に行き、大変ストレスを感じたり商品整理自体も時間が掛っていた。
本考案は前述の欠点を解決しようとするものである。
【課題を解決するための手段】
【０００５】  本考案の商品前出し用フックは本体の厚みを３ミリ程度にする事で、陳列商品の間隔が狭かったり棚のスペースが狭くても、本考案の商品前出し用フックを手に持ち、陳列用フックに掛っている商品と商品の隙間に簡単に差し込み奥までも簡単に入れる事により、そこから陳列商品を引っ掛け簡単に手前に引き出せる事が出来るので、ストレスも減り商品整理自体の時間削減にもなり、問題点も解決している。
【考案の効果】
【０００６】  前述の様に本考案の商品前出し用フックは本体の厚みを３ミリ程度にした事で、陳列商品の間隔が狭かったり棚のスペースが狭くても、自らの手を奥に入れて商品を前に出そうとしていた時には、陳列商品の隣の商品に手が当り商品陳列用のフックから外れ落ちたり、せっかく手前に出した商品がまた奥に行き、大変ストレスを感じたり商品整理の時間が掛っていたが、本考案の商品前出し用フックを使用する事で陳列商品の隙間に簡単に本考案のフックを差し込み奥までも簡単に入れる事により、その陳列商品を引っ掛けて簡単に手前に引き出せる事が出来るので、ストレスも減り商品整理の時間削減にもなる。また持ち運ぶ時や本考案のフックを使用しない携帯時も手持ち部のＵ字型の形状部をベルト等に掛ける事ができる為、邪魔にならずに持ち運びや携帯が出来る。そして保管時も壁などのフックに掛ける事が出来る為場所も取らない。
【図面の簡単な説明】
【０００７】
【図１】本考案の陳列商品整理時の商品前出し用フックの正面図
【図２】本考案の陳列商品整理時の商品前出し用フックの側面図
【図３】本考案の商品前出し用フック使用時の陳列場所の正面図（本考案のフックを陳列商品の隙間に入れた時の図）
【図４】本考案の商品前出し用フック使用時の陳列場所の側面図（陳列商品の後ろに本考案のフックを引っ掛けた時の図）
【図５】本考案の商品前出し用フック使用時の陳列場所の側面図（本考案のフックと陳列商品を手前に引き出した時の図）
【考案を実施するための形態】
【０００８】  本考案の商品前出し用フックを手に持ち、陳列用フックに掛っている商品と商品の隙間に差し込み奥まで入れ、そこから商品前出し用フックの角度を変え陳列商品を引っ掛け陳列商品を手前に引き出す。
【実施例】
【０００９】    以下に、本考案の実施の態様を添付図面に基づいて説明する。
１は商品前出し用フックの本体であるが、まず２の手持ち部を手に持ち、３の陳列商品引っ掛け部を陳列商品の隙間に入れ、そのまま１の商品前出し用フックを奥まで入れ（図３の状態）、１の商品前出し用フックの先端が４の陳列商品の先まで達したら、２の手持ち部で１の商品前出し用フックの本体の角度を変え（例えば左に４５度傾ける）３の陳列商品の引っ掛け部を４の陳列商品の後ろに引っ掛け（図４の状態）その後１の商品前出し用フック本体を手前に引き出せば４の陳列商品が手前に引き出される（図５の状態）。
【符号の説明】
【００１０】１  商品前出し用フックの本体
２  手持ち部
３  陳列商品の引っ掛け部
４  陳列商品
５  商品陳列用フック
【図１】
0003228187.tif 000003
【図２】
0003228187.tif 000004
【図３】
0003228187.tif 000005
【図４】
0003228187.tif 000006
【図５】
0003228187.tif 000007
【手続補正書】
【提出日】令和2年6月18日(2020.6.18)
【手続補正１】
【補正対象書類名】実用新案登録請求の範囲
【補正対象項目名】全文
【補正方法】変更
【補正の内容】
【実用新案登録請求の範囲】
【請求項１】
本体と、前記本体の一端部に手持ち部と、前記本体の他端部に陳列商品引っ掛け部とを備えた商品前出し用のフックであって、スーパーマーケットやコンビニエンスストア、ホームセンター等で商品陳列用のフックに掛っている商品を、手の代わりに前記フックを簡単に陳列商品の隙間に入れ、そのまま奥まで入れ、そして陳列商品を前記陳列商品引っ掛け部で引っ掛け、簡単に手前に引き出すことを特徴とする陳列商品整理時の商品前出し用フック。
【請求項２】
前記フックは、金属からなることを特徴とした請求項１に記載の陳列商品整理時の商品前出し用フック。
【請求項３】
前記フックは厚さ３ミリ程、横幅は７センチ程、全長は３５センチ程の大きさであることを特徴とする請求項１または請求項２に記載の陳列商品整理時の商品前出し用フック。
【請求項４】
前記手持ち部はＵ字型の形状であり、前記フックを持ち運ぶ時や携帯時はポケットやベルト等に掛ける事が出来、保管時も壁等に付いているフック等に掛けることを特徴とする請求項１から請求項３の何れか一項に記載の陳列商品整理時の商品前出し用フック。